(57)【要約】【目的】本発明は、意匠性、防水機能、断熱機能、結露防止機能、等を形成した屋根材に係るものである。【構成】幅方向の側端縁に引っ掛け構造の雄雌連結構造を形成した金属製屋根材Ｂにおいて、裏面に形成する裏打材Ｃを、金属製屋根材Ｂの水下側の差込縁７と、水上側の上方に開いた引っ掛け溝１３ａに挿入するように嵌合することにより金属製屋根材Ｂと裏打材Ｃを一体化すると共に、裏打材Ｃの裏面には凹溝２２を形成し、左右端部には雄雌連結構造を形成した屋根材Ａである。【選択図】        図１
2004263389.tif 000002
【特許請求の範囲】
【請求項１】
幅方向の側端縁に引っ掛け構造の雄雌連結構造を形成した金属製屋根材において、裏面に形成する裏打材を、金属製屋根材の水下側の差込縁と、水上側の上方に開いた引っ掛け溝に挿入するように嵌合することにより金属製屋根材と裏打材を一体化すると共に、裏打材の裏面には凹溝を形成し、左右端部には雄雌連結構造を形成したことを特徴とする屋根材。
【発明の詳細な説明】
【０００１】
【発明の属する技術分野】
本発明は、意匠性、防水機能、断熱機能、結露防止機能、等を形成した屋根材に係るものである。
【０００２】
【従来の技術】
一般に、金属製板材をロール成形、プレス成形等して加工した屋根材は数多く上市されている。（例えば、特許文献１、２参照）。
【０００３】
【特許文献１】
特開２００２−０３８６５８号公報
【特許文献２】
特開２００２−１５５６０２号公報
【０００４】
【発明が解決しようとする課題】
しかしながら、特許文献１、２は引っ掛け構造の屋根材であるが、連結部の段差が小さく、外観上薄っぺらなイメージがあった。このために、段差を大きくすることも考えられるが、段差を大きくすると、段差部分が荷重に対して弱くなり、屋根上の作業時に変形してしまう問題があった。
【０００５】
【課題を解決するための手段】
本発明はこのような欠点を解決するために、幅方向の側端縁に引っ掛け構造の雄雌連結構造を形成した金属製屋根材において、裏面に形成する裏打材を、金属製屋根材の水下側の差込縁と、水上側の上方に開いた引っ掛け溝に挿入するように嵌合することにより金属製屋根材と裏打材を一体化すると共に、裏打材の裏面には凹溝を形成し、左右端部には雄雌連結構造を形成した屋根材を提供するものである。
【０００６】
【発明の実施の形態】
以下に図面を用いて本発明に係る屋根材について詳細に説明する。図１、図２（ａ）〜（ｃ）は金属製屋根材Ｂと裏打材Ｃよりなる屋根材Ａの代表的一例を示す説明図、図３は屋根材Ａの施工状態を示す説明図、図４（ａ）〜（ｃ）はジョイント部分を示す説明図であり、図４（ａ）は図７のｂ−ｂ線端面図、図５は屋根材Ａの代表的一例を示す説明図である。図中、αは下地、βは釘等の固定具を示している。なお、図２（ｃ）は図２（ｂ）のａ−ａ部断面図である。
【０００７】
下地αは、新築の際は図３に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に金属横葺き屋根、金属瓦棒葺き屋根、新生瓦、瓦屋根、等の既存屋根（図示せず）が形成された既存屋根構造が下地αとなるものである。勿論、防水シート３を形成しない下地αでも良いものである。
【０００８】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、屋根材Ａの表面材として、金属製屋根材Ｂの代わりに窯業系素材、もしくは合成樹脂材（プラスチック）、等で形成してもよいものである。
【０００９】
さらに説明すると、金属製屋根材Ｂは長尺板状であり、図２に示すように、略水平面状の化粧面４と、裏面５と、化粧面４の水下側端部を下方に垂下した段差化粧面６と、水上側に開口するように略コ字状に屈曲して差込縁７を形成し、化粧面４と段差化粧面６と差込縁７とから略Ｕ字状の引っ掛け溝８を形成して雄型連結部９としたものである。また、９ａは挿入溝である。
【００１０】
また、図２に示すように、化粧面４の水上側端部には化粧面４の先端を水下側に開口して断面略Ｕ字状に形成した前記差込縁７と嵌合する嵌合溝１０と、嵌合溝１０の上縁となる嵌合縁１１と、固定面１２を形成し雌型連結部１３を形成したものである。また、化粧面４の端部には図４（ａ）〜（ｃ）に示すような係止片１４、係止溝１５を形成し、図４（ａ）に示すように連結して固定するものである。また、１３ａは引っ掛け溝である。
【００１１】
挿入溝９ａと引っ掛け溝１３ａは図１に示すように、図２（ａ）、（ｂ）に示す金属製屋根材Ｂと裏打材Ｃを一体化することにより、通常の運搬時・作業時に裏打材Ｃが金属製屋根材Ｂから外れるのを防止し、かつ、接着剤の使用を排除したものである。また、引っ掛け溝１３ａは位置決め機能も具備し、裏打材のズレ防止にも役立つものである。
【００１２】
裏打材Ｃは防水材、断熱材、補強材、段差形成材、吸音材、緩衝材、防火材、結露防止材、等として機能するものであり、主に、合成樹脂発泡体の成形材を使用するものである。その素材としては、スチレンフォーム、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材、もしくは裏面材の裏面側に吐出させ、加熱して反応・発泡・硬化させて形成したものである。また、芯材中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００１３】
裏打材Ｃの形状は、図２（ｂ）に示すように、水平面１６と、水平面１６の水下側を突出した突出片１７と、突出片１７により形成した切り欠き１８と、水平面１６の水上側を上方に突出した防水片１９と、引っ掛け溝１３ａに嵌合される引っ掛け片２０と、裏面を切り欠いて形成した凸部２１と凹溝２２とから長尺状に形成したものである。
【００１４】
この凹溝２２は図８に示すように、家屋Ｈの軒Ｐから棟Ｑまでの屋根材Ａの裏面に、連通した通気路Ｒを形成し、軒から入った空気を棟Ｑの換気口から排出させ、夏季の温度上昇を抑制し、また、屋内から発生した湿気を外部に放出するものである。
【００１５】
係止片１４と係止溝１５は、図４（ｂ）、（ｃ）に示すようなものであり、係止溝１５に係止片１４を図６（ａ）、（ｂ）に示すように挿入することにより、図４（ａ）、図７に示すように一体化するものである。
【００１６】
以上説明したのは、本発明に係る屋根材の一実施例にすぎず、図９（ａ）〜（ｃ）、図１０に示すように形成することができる。
【００１７】
図９（ａ）〜（ｃ）は、裏打材Ｃに切り欠き２３を形成し、係止片１４と係止部１５の連結の際に、裏打材Ｃの端部が、図１０に示す雌型連結部１３（段差ｈ）にぶつかって施工しにくくなるのを防止するために形成したものである。
【００１８】
【発明の効果】
以上説明したように、本発明に係る屋根材によれば、裏打材の形成により、▲１▼段差の大きい屋根材を形成でき、意匠的に重厚なイメージの屋根となる。▲２▼段差を大きく形成しても、荷重により変形することがない。▲３▼挿入溝と引っ掛け溝により裏打材が金属製屋根材と一体化でき、接着剤等の使用を排除できる。▲４▼引っ掛け溝が位置決め機能を発揮し、裏打材のズレ防止にも役立つ。▲４▼凹溝の形成により、軒から棟までの屋根材の裏面に連通した通気路が形成され、軒から入った空気が棟の換気口から排出して、夏季の温度上昇を抑制し、また、屋内から発生した湿気を外部に放出できる。▲５▼左右の連結が簡単である。等の特徴、効果がある。
【図面の簡単な説明】
【図１】本発明に係る屋根材の代表的一例を示す説明図である。
【図２】本発明に係る屋根材の金属製屋根材と裏打材の代表的一例を示す説明図である。
【図３】本発明に係る屋根材の施工状態を示す説明図である。
【図４】本発明に係る屋根材の施工状態を示す説明図である。
【図５】本発明に係る屋根材の施工状態を示す説明図である。
【図６】本発明に係る屋根材の施工状態を示す説明図である。
【図７】本発明に係る屋根材の施工状態を示す説明図である。
【図８】本発明に係る屋根材を施工した家屋の代表的一例を示す説明図である。
【図９】本発明に係る屋根材のその他の実施例を示す説明図である。
【図１０】本発明に係る屋根材のその他の実施例を示す説明図である。
【符号の説明】
α  下地
β  固定具
γ  空間
Ａ  屋根材
Ｂ  金属製屋根材
Ｃ  裏打材
Ｄ  ジョイナ
Ｅ  パッキング材
Ｈ  家屋
Ｐ  軒
Ｑ  棟
１  垂木
２  野地板
３  防水シート
４  化粧面
５  裏面
６  段差化粧面
７  差込縁
８  引っ掛け溝
９  雄型連結部
９ａ  挿入溝
１０  嵌合溝
１１  嵌合縁
１２  固定片
１３  雌型連結部
１３ａ  引っ掛け溝
１４  係止片
１５  係止溝
１６  水平面
１７  突出片
１８  切り欠き
１９  防水片
２０  引っ掛け片
２１  凸部
２２  凹溝
２３  切り欠き
【図１】
2004263389.tif 000003
【図２】
2004263389.tif 000004
【図３】
2004263389.tif 000005
【図４】
2004263389.tif 000006
【図５】
2004263389.tif 000007
【図６】
2004263389.tif 000008
【図７】
2004263389.tif 000009
【図８】
2004263389.tif 000010
【図９】
2004263389.tif 000011
【図１０】
2004263389.tif 000012